【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
端末装置によって行われる方法であって、前記方法は、
アンライセンスＬＴＥキャリア周波数上にあるセカンダリセルと関連付けられる物理セル識別子情報要素を基地局装置から受信し、
前記物理セル識別子情報要素に基づいて前記セカンダリセルの物理レイヤセルアイデンティティを確定し、
前記セカンダリセル上の物理チャネルまたは信号に用いられるパラメータとして前記物理レイヤセルアイデンティティを適用し、
プライマリセルにおけるプライマリ同期信号およびセカンダリ同期信号は、５ｍｓ単位で送信されると想定し、
前記セカンダリセルにおけるプライマリ同期信号およびセカンダリ同期信号は、５ｍｓ単位ではなく、いくつかの機会においてのみ送信されると想定する、
ことを含む方法。
【請求項２】
前記基地局装置から受信した下りリンクキャリア周波数情報要素に基づいて前記セカンダリセルがアンライセンスＬＴＥキャリア周波数上にあると判断することをさらに含む、請求項１に記載の方法。
【請求項３】
前記セカンダリセルの絶対無線周波数チャネル番号を前記下りリンクキャリア周波数情報要素から取得することをさらに含み、
前記絶対無線周波数チャネル番号はアンライセンスＬＴＥキャリア周波数に対応する、請求項２に記載の方法。
【請求項４】
前記物理セル識別子情報要素は、ｐｈｙｓＣｅｌｌＩｄ‐ｒ１０情報要素であり、
前記下りリンクキャリア周波数情報要素は、ｄｌ‐ＣａｒｒｉｅｒＦｒｅｑ‐ｒ１０情報要素またはｄｌ‐ＣａｒｒｉｅｒＦｒｅｑ‐ｖ１０９０情報要素のうちの１つであり、
前記物理セル識別子情報要素および前記下りリンクキャリア周波数情報要素は、ｓＣｅｌｌＴｏＡｄｄＭｏｄＬｉｓｔ‐ｒ１０情報要素に含められる、請求項２に記載の方法。
【請求項５】
前記セカンダリセルがアンライセンスＬＴＥキャリア周波数上にあるという指示に基づく情報要素を前記基地局装置から受信することに基づいて、前記セカンダリセルがアンライセンスＬＴＥキャリア周波数上にあると判断することをさらに含む、請求項１に記載の方法。
【請求項６】
前記セカンダリセルの前記物理レイヤセルアイデンティティを確定することに、前記セカンダリセルの前記物理レイヤセルアイデンティティを前記物理セル識別子情報要素から得ることが含まれる、請求項１に記載の方法。
【請求項７】
前記セカンダリセル上の物理チャネルまたは信号に用いられるパラメータとして前記物理レイヤセルアイデンティティを適用することに、前記セカンダリセルの前記物理レイヤセルアイデンティティに基づいてスクランブルシーケンス初期化を行うことが含まれる、請求項１に記載の方法。
【請求項８】
基地局装置によって行われる方法であって、前記方法は、
アンライセンスＬＴＥキャリア周波数上にあるセカンダリセルの物理レイヤセルアイデンティティを確定し、
前記セカンダリセルの前記物理レイヤセルアイデンティティに用いられる物理セル識別子情報要素を端末装置へ送信し、
前記セカンダリセル上の物理チャネルまたは信号に用いられるパラメータとして前記物理レイヤセルアイデンティティを適用し、
前記端末装置が、
プライマリセルにおけるプライマリ同期信号およびセカンダリ同期信号は、５ｍｓ単位で送信されると想定し、
前記セカンダリセルにおけるプライマリ同期信号およびセカンダリ同期信号は、５ｍｓ単位ではなく、いくつかの機会においてのみ送信されると想定する、
と想定する、
ことを含む方法。
【請求項９】
前記端末装置へ送信された下りリンクキャリア周波数情報要素に基づいて前記セカンダリセルはアンライセンスＬＴＥキャリア周波数上にあると前記端末装置が判断することを想定することをさらに含む、請求項８に記載の方法。
【請求項１０】
前記セカンダリセルの絶対無線周波数チャネル番号を前記下りリンクキャリア周波数情報要素から取得することをさらに含み、
前記絶対無線周波数チャネル番号はアンライセンスＬＴＥキャリア周波数に対応する、
請求項９に記載の方法。
【請求項１１】
前記物理セル識別子情報要素は、ｐｈｙｓＣｅｌｌＩｄ‐ｒ１０情報要素であり、
前記下りリンクキャリア周波数情報要素は、ｄｌ‐ＣａｒｒｉｅｒＦｒｅｑ‐ｒ１０情報要素またはｄｌ‐ＣａｒｒｉｅｒＦｒｅｑ‐ｖ１０９０情報要素のうちの１つであり、
前記物理セル識別子情報要素および前記下りリンクキャリア周波数情報要素は、ｓＣｅｌｌＴｏＡｄｄＭｏｄＬｉｓｔ‐ｒ１０情報要素に含められる、請求項９に記載の方法。
【請求項１２】
前記セカンダリセルがアンライセンスＬＴＥキャリア周波数上にあるという指示を前記端末装置へ送信することをさらに含む、請求項８に記載の方法。
【請求項１３】
前記セカンダリセルの前記物理レイヤセルアイデンティティは、前記物理セル識別子情報要素に含まれる、請求項８に記載の方法。
【請求項１４】
前記セカンダリセル上の物理チャネルまたは信号に用いられるパラメータとして前記物理レイヤセルアイデンティティを適用することに、前記セカンダリセルの前記物理レイヤセルアイデンティティに基づいてスクランブルシーケンス初期化を行うことが含まれる、請求項８に記載の方法。
【請求項１５】
端末装置であって、
アンライセンスＬＴＥキャリア周波数上にあるセカンダリセルと関連付けられる物理セル識別子情報要素を基地局装置から受信する手段と、
前記物理セル識別子情報要素に基づいて前記セカンダリセルの物理レイヤセルアイデンティティを確定する手段と、
前記セカンダリセル上の物理チャネルまたは信号に用いられるパラメータとして前記物理レイヤセルアイデンティティを適用する手段と、を備え、
プライマリセルにおけるプライマリ同期信号およびセカンダリ同期信号は、５ｍｓ単位で送信されると想定し、
前記セカンダリセルにおけるプライマリ同期信号およびセカンダリ同期信号は、５ｍｓ単位ではなく、いくつかの機会においてのみ送信されると想定する、
端末装置。
【請求項１６】
前記基地局装置から受信した下りリンクキャリア周波数情報要素に基づいて前記セカンダリセルがアンライセンスＬＴＥキャリア周波数上にあると判断する手段をさらに備える、請求項１５に記載の端末装置。
【請求項１７】
前記セカンダリセルの絶対無線周波数チャネル番号を前記下りリンクキャリア周波数情報要素から取得する手段をさらに備え、
前記絶対無線周波数チャネル番号はアンライセンスＬＴＥキャリア周波数に対応する、請求項１６に記載の端末装置。
【請求項１８】
前記セカンダリセルがアンライセンスＬＴＥキャリア周波数上にあるという指示に基づく情報要素を前記基地局装置から受信することに基づいて、前記セカンダリセルがアンライセンスＬＴＥキャリア周波数上にあると判断する手段をさらに備える、請求項１５に記載の端末装置。
【請求項１９】
前記セカンダリセルの前記物理レイヤセルアイデンティティを確定する手段は、前記セカンダリセルの前記物理レイヤセルアイデンティティを前記物理セル識別子情報要素からさらに取得する、請求項１５に記載の端末装置。
【請求項２０】
前記セカンダリセル上の物理チャネルまたは信号に用いられるパラメータとして前記物理レイヤセルアイデンティティを適用する手段は、前記セカンダリセルの前記物理レイヤセルアイデンティティに基づいてスクランブルシーケンス初期化をさらに行う、請求項１５に記載の端末装置。
【請求項２１】
基地局装置であって、
アンライセンスＬＴＥキャリア周波数上にあるセカンダリセルの物理レイヤセルアイデンティティを確定する手段と、
前記セカンダリセルの前記物理レイヤセルアイデンティティに用いられる物理セル識別子情報要素を端末装置へ送信する手段と、
前記セカンダリセル上の物理チャネルまたは信号に用いられるパラメータとして前記物理レイヤセルアイデンティティを適用する手段と、を備え、
前記端末装置が、
プライマリセルにおけるプライマリ同期信号およびセカンダリ同期信号は、５ｍｓ単位で送信されると想定し、
前記セカンダリセルにおけるプライマリ同期信号およびセカンダリ同期信号は、５ｍｓ単位ではなく、いくつかの機会においてのみ送信されると想定する、
と想定する、
基地局装置。
【請求項２２】
前記端末装置へ送信された下りリンクキャリア周波数情報要素に基づいて前記セカンダリセルはアンライセンスＬＴＥキャリア周波数上にあると前記端末装置が判断することを想定する手段をさらに備える、請求項２１に記載の基地局装置。
【請求項２３】
前記セカンダリセルがアンライセンスＬＴＥキャリア周波数上にあるという指示を前記端末装置へ送信する手段をさらに備える、請求項２１に記載の基地局装置。
【請求項２４】
前記セカンダリセルの前記物理レイヤセルアイデンティティは、前記物理セル識別子情報要素に含まれる、請求項２１に記載の基地局装置。
【請求項２５】
前記セカンダリセル上の物理チャネルまたは信号に用いられるパラメータとして前記物理レイヤセルアイデンティティを適用する手段は、前記セカンダリセルの前記物理レイヤセルアイデンティティに基づいてスクランブルシーケンス初期化をさらに行う、請求項２１に記載の基地局装置。